(57)【要約】【課題】防犯性を向上させることができる錠装置および建具を提供を提供すること。【解決手段】錠装置６０の錠部６２を受け金具２６の係合片部２６２に係合させることによって上部障子２０の開放移動が規制され、上部障子２０が閉鎖位置に維持されるため、召合せ部に設けたクレセント錠の空掛けが防止でき、確実に施錠することができて防犯性を向上させることができる。下部障子に当接してその開放移動を規制するストッパ部６３を錠装置６０に設けたことで、下部障子が上枠１１に衝突することが防止できるとともに、障子ストッパを別に設置する必要がなくなり、部品点数が削減できるとともに、上げ下げ窓の室内側の意匠性も向上させることができる。【選択図】図４
2008014060.tif 000002
【特許請求の範囲】
【請求項１】
建具枠に固定される錠装置本体と、
前記建具枠にスライド開閉可能に支持された室内外一対の障子のうちの室内側障子に当接してその開放範囲を規制するストッパ部と、
前記一対の障子のうちの室外側障子に係合してその開放移動を規制する錠部とを備えた錠装置。
【請求項２】
前記一対の障子は、それぞれ上下スライド開閉可能に支持されるとともに、当該障子の下端部に連結されたバランサで上方に付勢されており、
前記錠装置本体には、前記室内側障子に連結されたバランサが支持されている請求項１に記載の錠装置。
【請求項３】
前記バランサは、円筒体内にスパイラルばねを有したスパイラルバランサであって、
前記錠装置本体には、前記バランサの円筒体を嵌合可能に凹んで形成されたバランサ支持部が設けられ、
前記錠装置本体およびバランサは、前記バランサ支持部に円筒体を嵌合した状態で当該錠装置本体および円筒体を貫通するビスで前記建具枠の縦枠に固定される請求項２に記載の錠装置。
【請求項４】
上枠、下枠、および左右の縦枠を有する窓枠と、前記縦枠に案内されて上下スライド開閉自在に支持された室外側の上部障子および室内側の下部障子とを備えた建具であって、
前記窓枠の上枠と縦枠との交差部近傍には、開放した前記下部障子に当接してその開放範囲を規制するとともに、閉じた状態の前記上部障子に係合してその開放移動を規制する錠装置が固定されている建具。
【請求項５】
前記上部障子および下部障子は、それぞれ当該障子の下端部に連結されたスパイラルばねを円筒体内に有したバランサで上方に付勢され、このバランサの円筒体が前記錠装置を介して前記窓枠に支持されている請求項４に記載の建具。
【請求項６】
前記上部障子および下部障子は、それぞれ当該障子の下端部に連結されたロープを巻き上げる渦巻きばねを有したバランサで上方に付勢され、このバランサが前記錠装置を介して前記窓枠に支持されている請求項４に記載の建具。
【請求項７】
上枠、下枠、および左右の縦枠を有する窓枠と、前記上枠および下枠に案内されて左右スライド開閉自在に支持された室内側障子および室外側障子とを備えた建具であって、
前記窓枠の下枠と縦枠との交差部近傍と、前記窓枠の上枠と縦枠との交差部近傍との少なくとも一方には、開放した前記室内側障子に当接してその開放範囲を規制するとともに、閉じた状態の前記室外側障子に係合してその開放移動を規制する錠装置が固定されている建具。
【発明の詳細な説明】
【技術分野】
【０００１】
本発明は、錠装置および建具に関し、詳しくは、窓枠にスライド開閉可能に支持された障子の開放を規制する錠装置、この錠装置を備えた建具に関する。
【背景技術】
【０００２】
従来、スライド開閉可能な障子を備えた建具として、障子が窓枠内を左右にスライドするタイプの引違い窓や片引き窓、障子が窓枠内を上下にスライドするタイプの上げ下げ窓などが広く用いられている。このような建具において、障子の開放を規制して窓を施錠する錠装置としては、障子の召合せ框同士を係合するクレセント錠が一般的である（例えば、特許文献１参照）。
特許文献１に記載された建具は、室内外一対の障子を備え、これら一対の障子がそれぞれ上下にスライド開閉可能な、いわゆるダブルハングタイプの上げ下げ窓である。この上げ下げ窓では、内障子（下部障子）の上框（召合せ框）に設けたクレセントと、外障子（上部障子）の下框（召合せ框）に設けた錠受けとを係合させることで施錠されるようになっている。
【０００３】
【特許文献１】特許第３６３０４０５号公報
【発明の開示】
【発明が解決しようとする課題】
【０００４】
従来のダブルハングタイプの上げ下げ窓では、上下の障子における召合せ框同士をクレセント錠で係合させることで施錠されるため、上下の障子ともに閉鎖された状態でクレセント錠を操作しないと正常に施錠できず、空掛け状態となってしまうことがあり、防犯性の点で問題がある。すなわち、頻繁に開閉操作を行う下部障子であれば完全に閉鎖したことが確認しやすいが、開閉操作の頻度が少ない上部障子については、閉鎖状態が確認しにくく、若干量（例えば、１cm程度）だけ開方向（下方）に移動した状態であっても気付かないことがある。このため、上部障子が閉鎖されていない状態でクレセント錠を施錠操作してしまうと、空掛け状態となってしまう可能性がある。
【０００５】
本発明の目的は、防犯性を向上させることができる錠装置および建具を提供することにある。
【課題を解決するための手段】
【０００６】
本発明の錠装置は、建具枠に固定される錠装置本体と、前記建具枠にスライド開閉可能に支持された室内外一対の障子のうちの室内側障子に当接してその開放範囲を規制するストッパ部と、前記一対の障子のうちの室外側障子に係合してその開放移動を規制する錠部とを備えたことを特徴とする。
【０００７】
ここで、本発明の錠装置が設けられる建具としては、一対の障子が左右スライド開閉可能に支持された引違い窓や引違い戸であってもよく、また、一対の障子が上下スライド開閉可能に支持された上げ下げ窓であってもよい。また、建具としては、前記一対の障子のみが設けられたものに限らず、一対の障子の他に固定障子や可動障子を有して構成されたものであってもよい。
また、建具には、本発明の錠装置の他に、従来の建具のように召合せ框同士を係合して施錠するクレセント錠や、内外に突没移動するボルトで室内外の召合せ框同士を連結して施錠するタイプの錠が設けられていてもよい。さらに、本発明の錠装置とは別に、室内側障子を建具枠に係合させてその開放移動を規制する錠が設けられていてもよい。
【０００８】
以上の本発明によれば、当該錠装置の錠部によって室外側障子の開放移動を規制する、すなわち室外側障子を閉鎖位置に維持させることで、室外側障子が完全に閉鎖されていない状態となることがなく、召合せ部に設けたクレセント錠等の空掛けが防止でき、確実に施錠することができて防犯性を向上させることができる。
また、当該錠装置がストッパ部を備えていることで、室内側障子の開放した際に、その戸尻側の框（召合せ框）や召合せ框に設けたクレセント等が建具枠に衝突することが防止できる。このような障子ストッパ機能を本発明の錠装置に設けたことで、障子ストッパを別に設置する場合と比較して、部品点数が削減できるとともに、建具の意匠性も向上させることができる。
【０００９】
この際、本発明の錠装置では、前記一対の障子は、それぞれ上下スライド開閉可能に支持されるとともに、当該障子の下端部に連結されたバランサで上方に付勢されており、前記錠装置本体には、前記室内側障子に連結されたバランサが支持されていることが好ましい。
【００１０】
ところで、前記特許文献１に記載された上げ下げ窓では、上部障子および下部障子をそれぞれ上方に付勢して障子の重量と釣り合うスパイラルバランサが縦枠内部に一対で配置されている。これらのスパイラルバランサは、各々の上端が縦枠の上部に固定され、下端がピボットシューを介して上下の障子下部に連結されている。そして、スパイラルバランサの上端には、付勢力を調整する調整器が設けられており、室内側スパイラルバランサの調整器は、下部障子の過開放を規制するストッパの裏側に配置されるとともに、ストッパの一部から操作部が露出して操作可能に構成されている。
このように従来の建具では、下部障子用のストッパで室内側スパイラルバランサの調整器を覆うようにしているため、縦枠におけるストッパ取付用のスペースが限られることから、ストッパの取付強度が不足する可能性があるとともに、スパイラルバランサおよびストッパの取付構造が複雑になり取付手順が煩雑になってしまうという問題もある。
【００１１】
このような従来の構造に対して、本発明の錠装置では、室内側障子に連結されたバランサを錠装置本体に支持させたことで、前述の室外側障子の施錠機能および室内側障子のストッパ機能に加え、バランサの支持機能をも付加することができ、さらなる部品点数の削減および意匠性の向上を図ることができる。また、建具枠に対して錠装置本体部とバランサとが別々に取り付けられるものではないため、互いの取付スペースが干渉し合うことがなく、シンプルな取付構造で強度を容易に確保することができ、取付手順も簡単化することができる。
【００１２】
さらに、本発明の錠装置では、前記バランサは、円筒体内にスパイラルばねを有したスパイラルバランサであって、前記錠装置本体には、前記バランサの円筒体を嵌合可能に凹んで形成されたバランサ支持部が設けられ、前記錠装置本体およびバランサは、前記バランサ支持部に円筒体を嵌合した状態で当該錠装置本体および円筒体を貫通するビスで前記建具枠の縦枠に固定されることが好ましい。
このような構成によれば、スパイラルバランサの円筒体を錠装置本体のバランサ支持部に嵌合させ、これらをともに貫通するビスで縦枠に固定することで、錠装置およびバランサを同時に建具枠に固定することができ、取付構造および取付手順を一層簡単化することができる。
【００１３】
一方、本発明の建具は、上枠、下枠、および左右の縦枠を有する窓枠と、前記縦枠に案内されて上下スライド開閉自在に支持された室外側の上部障子および室内側の下部障子とを備えた建具であって、前記窓枠の上枠と縦枠との交差部近傍には、開放した前記下部障子に当接してその開放範囲を規制するとともに、閉じた状態の前記上部障子に係合してその開放移動を規制する錠装置が固定されていることを特徴とする。
ここで、窓枠に支持される障子としては、前記上部障子および下部障子のみに限らず、これらの室外側や室内側あるいは中間に固定された固定障子または可動障子を有して構成されていてもよい。すなわち、本発明の建具は、前記上部障子および下部障子の２枚の障子のみが上下スライド開閉可能に支持されたダブルハングタイプの上げ下げ窓であってもよく、前記上部障子および下部障子の他にも可動障子を有し、これらの３枚以上の障子が上下スライド開閉可能に支持されたトリプルハングタイプ等の上げ下げ窓であってもよい。
このような構成によれば、ダブルハングタイプやトリプルハングタイプの上げ下げ窓において、前述の錠装置と同様に、室外側の上部障子の閉鎖状態を確実に維持させて召合せ部のクレセント錠等による空掛けが防止でき、防犯性を向上させることができるとともに、錠装置が障子ストッパ機能を有していることで、部品点数の削減および建具の意匠性の向上を図ることができる。
【００１４】
この際、本発明の建具では、前記上部障子および下部障子は、それぞれ当該障子の下端部に連結されたスパイラルばねを円筒体内に有したバランサで上方に付勢され、このバランサの円筒体が前記錠装置を介して前記窓枠に支持されていることが好ましい。
また、本発明の建具では、前記上部障子および下部障子は、それぞれ当該障子の下端部に連結されたロープを巻き上げる渦巻きばねを有したバランサで上方に付勢され、このバランサが前記錠装置を介して前記窓枠に支持されていてもよい。
このような構成によれば、上げ下げ窓の障子を上方に付勢するバランサとして、スパイラルバランサおよび渦巻きばねバランサから適宜選択することができる。そして、いずれのタイプのバランサを選択した場合でも、錠装置を介してバランサを窓枠に支持することができ、部品点数の削減および意匠性の向上を図ることができるとともに、錠装置およびバランサの取付構造および取付手順の簡単化を図ることができる。
【００１５】
また、本発明の建具は、上枠、下枠、および左右の縦枠を有する窓枠と、前記上枠および下枠に案内されて左右スライド開閉自在に支持された室内側障子および室外側障子とを備えた建具であって、前記窓枠の下枠と縦枠との交差部近傍と、前記窓枠の上枠と縦枠との交差部近傍との少なくとも一方には、開放した前記室内側障子に当接してその開放範囲を規制するとともに、閉じた状態の前記室外側障子に係合してその開放移動を規制する錠装置が固定されていることを特徴とする。
このような構成によれば、引き違い窓において、前述の錠装置と同様に、室外側障子の閉鎖状態を確実に維持させて召合せ部のクレセント錠等による空掛けが防止でき、防犯性を向上させることができるとともに、錠装置が障子ストッパ機能を有していることで、部品点数の削減および建具の意匠性の向上を図ることができる。
【発明を実施するための最良の形態】
【００１６】
以下、本発明の実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングを省略する場合がある。
【００１７】
〔第１実施形態〕
図１は、本発明の第１実施形態に係る建具である上げ下げ窓１を示す縦断面図である。図２は、上げ下げ窓１を示す横断面図である。図３は、上げ下げ窓１の要部を拡大して示す横断面図である。図４は、上げ下げ窓１の要部を示す縦断面図である。図５は、本発明の錠装置の取付手順を示す横断面図である。
図１、図２において、上げ下げ窓１は、戸建て住宅等の建物の外壁開口部に設けられるものであって、外壁開口部に固定される建具枠としての窓枠１０と、この窓枠１０の内側に上下スライド開閉自在に支持された室外側の上部障子２０および室内側の下部障子３０（室内障子）と、上部障子２０よりも室外側に上下スライド自在に支持された網戸４０とを備えて構成された、いわゆるダブルハングの上げ下げ窓である。
なお、上げ下げ窓１に設ける網戸としては、網戸４０のように上部障子２０および下部障子３０のいずれか一方を開放した際に形成される開口部を覆うものに限らず、上部障子２０よりも室外側に固定されて窓枠１０全体を覆う網戸でもよい。さらに、網戸４０を下部用網戸として、これに加え、上部障子２０の室内側（上部障子２０と下部障子３０の間や、下部障子３０よりも室内側）に上部用網戸を設けてもよく、また、巻き取り収納可能な網戸や蛇腹状に折り畳み収納可能な網戸を上部障子２０や下部障子３０の各々に設けてもよい。
【００１８】
窓枠１０は、上枠１１、下枠１２、および左右の縦枠１３を四周枠組みして形成されている。上部障子２０および下部障子３０は、それぞれ上框２１，３１、下框２２，３２、および左右の縦框２３，３３を四周框組みした内部に、ガラスパネル２４，３４を嵌め込んで構成されている。これらの上部障子２０および下部障子３０の召合せ框（上部障子２０の下框２２と下部障子３０の上框３１）には、クレセント錠５０（クレセント５１および錠受け５２）が設けられており、上部障子２０および下部障子３０を閉鎖した状態、つまり互いの召合せ框が見込み方向に重なった状態において、錠受け５２にクレセント５１を係合させることで、上げ下げ窓１が施錠されるようになっている。
【００１９】
また、窓枠１０の縦枠１３には、上部障子２０および下部障子３０をそれぞれ上下にスライド案内する案内溝１３１，１３２が設けられ、これらの案内溝１３１，１３２には、上部障子２０および下部障子３０の下端部に設けた図示しないスライドシューに連結され、上部障子２０および下部障子３０をそれぞれ上方に付勢するバランサ２５，３５が設置されている。これらのバランサ２５，３５は、それぞれ円筒体内にスパイラルばねを有したスパイラルバランサであって、このスパイラルばねがスライドシューに連結されたものである。そして、上部障子２０用のバランサ２５は、その上部の円筒体が縦枠１３の上部に取付部材２５１を介して固定されている。一方、下部障子３０用のバランサ３５は、その上部の円筒体３５１が錠装置６０を介して縦枠１３の上部に固定されている。
【００２０】
錠装置６０は、図３、図４にも示すように、縦枠１３の上部（上枠１１と縦枠１３との交差部近傍）に固定され、閉じた状態の上部障子２０に係合してその開放移動を規制する補助錠であって、窓枠１０に固定される錠装置本体６１と、上部障子２０の開放移動を規制する錠部６２と、下部障子３０の開放範囲を規制するストッパ部６３と、バランサ３５を支持するバランサ支持部６４とを備えて構成されている。
錠装置本体６１は、全体略直方体状の樹脂成形部材であって、縦枠１３の案内溝１３２縁部に形成された室内外の突片１３２Ａを切り欠いて案内溝１３２に挿入され、縦枠１３の見込み片部１３３にビス６５で固定されるようになっている。
【００２１】
錠装置６０の錠部６２は、室内外に突没自在に錠装置本体６１に支持され、縦枠１３の見付け方向内方に突出した見付け片部１３４を貫通して室外側に突出操作可能になっている。そして、上部障子２０の縦框２３上部には、錠部６２に係合可能な係合部材である受け金具２６が固定されている。この受け金具２６は、縦框２３に固定される固定片部２６１と、この固定片部２６１から室内側に延びた係合片部２６２とを有して形成されており、室外側に突出した錠部６２が係合片部２６２に係合しすることで、上部障子２０の開放移動が規制されるようになっている。また、錠部６２の室外側下端部と受け金具２６の係合片部２６２の室内側上端部とには、それぞれ傾斜部６２１，２６３（図４参照）が形成されており、上部障子２０が開放され、かつ錠部６２が室外側に突出された状態から、上部障子２０を閉鎖した際に、錠部６２および受け金具２６の傾斜部６２１，２６３同士が摺接し、錠部６２が室内側に没入することで、錠部６２や受け金具２６の破損を防止しつつ、上部障子２０の閉鎖操作が継続できるようになっている。
【００２２】
錠装置６０のストッパ部６３は、縦枠１３から見付け方向内方（図３の左側）に突出した錠装置本体６１の下面に形成されており、下部障子３０を上方に開放した際に、下部障子３０の上框３１がストッパ部６３に当接して開放動作が規制され、クレセント５１と上枠１１との衝突が防止できるようになっている。なお、本実施形態では、錠装置６０は、左右の縦枠１３のうちの一方（図２の右側）に設けられており、この錠装置６０のストッパ部６３に当接することで、下部障子３０の開放範囲を規制するように構成されているが、錠装置６０を左右両方の縦枠１３に設けてもよい。
【００２３】
錠装置６０のバランサ支持部６４は、錠装置本体６１における縦枠１３の見込み片部１３３に対向する面を略Ｕ字形に凹ませて形成されており、このバランサ支持部６４にバランサ３５の円筒体３５１が嵌合可能に構成されている。そして、錠装置本体６１およびバランサ３５は、図５に示すように、バランサ支持部６４に円筒体３５１を嵌合させた状態で、これらの錠装置本体６１および円筒体３５１を見付け方向内側からビス６５で貫通するとともに、このビス６５を縦枠１３の見込み片部１３３に螺合することで縦枠１３に固定されるようになっている。また、錠装置本体６１におけるビス６５の貫通孔は、ビスキャップ６６で塞がれるようになっている。
【００２４】
一方、図１、図２に示すように、縦枠１３の下部には、閉じた状態の下部障子３０に係合してその開放移動を規制する下部補助錠７０が設けられている。この下部補助錠７０は、窓枠１０に固定される錠本体７１と、下部障子３０の開放移動を規制する錠部７２とを有して構成されており、錠部７２は、前記錠装置６０の錠部６２と同様に、室内外に突没自在に錠本体７１に支持されて、下部障子３０の縦框３３下端部に設けられた図示しない受け金具と係合可能に構成されている。
【００２５】
このような本実施形態によれば、以下のような効果がある。
（１）すなわち、錠装置６０の錠部６２を受け金具２６の係合片部２６２に係合させることによって上部障子２０の開放移動が規制され、上部障子２０が閉鎖位置に維持されることで、上部障子２０が完全に閉鎖されていない状態となることがないため、召合せ部に設けたクレセント錠５０の空掛けが防止でき、確実に施錠することができて防犯性を向上させることができる。
【００２６】
（２）また、錠装置６０で上部障子２０の開放移動を規制し、下部補助錠７０で下部障子３０の開放移動を規制することで、召合せ部のクレセント錠５０による施錠と、錠装置６０および下部補助錠７０よる施錠とを合わせた二重の施錠が可能になって、防犯性を一層向上させることができる。
【００２７】
（３）さらに、錠装置６０のストッパ部６３に下部障子３０の上框３１が当接して下部障子３０の開放移動が規制されることで、上框３１に設けたクレセント５１が上枠１１に衝突することが防止できる。このようなストッパ部６３が錠装置６０に設けられていることで、障子ストッパを別に設置する必要がなくなり、部品点数が削減できるとともに、上げ下げ窓１の室内側の意匠性も向上させることができる。
【００２８】
（４）また、下部障子３０に連結されたバランサ３５の上端部である円筒体３５１が錠装置６０のバランサ支持部６４に支持されるので、バランサ固定部材を省略することができ、さらなる部品点数の削減および意匠性の向上を図ることができる。また、錠装置６０とバランサ３５とが別々に取り付けられるものではないため、縦枠１３における互いの取付スペースが干渉し合うことがなく、シンプルな取付構造で強度を容易に確保することができ、取付手順も簡単化することができる。
【００２９】
（５）さらに、バランサ３５の円筒体３５１を錠装置本体６１のバランサ支持部６４に嵌合させた状態で、これらを貫通するビス６５を縦枠１３に螺合することで、錠装置６０およびバランサ３５を同時に固定することができ、取付構造および取付手順を一層簡単化することができる。
【００３０】
〔第２実施形態〕
次に、本発明の第２実施形態に係る建具について図６に基づいて説明する。
図６(Ａ)，(Ｂ)は、第２実施形態の建具である上げ下げ窓１Ａの概略構成を示す縦断面図および横断面図である。
本実施形態の上げ下げ窓１Ａは、前記第１実施形態の上げ下げ窓１と略同様のダブルハングタイプの上げ下げ窓であり、錠装置およびバランサの構成が相違するものである。すなわち、上げ下げ窓１Ａにおいて上部障子２０の開放移動を規制する錠装置６０Ａは、上枠１１の端部下側に固定されている。そして、この錠装置６０Ａの錠装置本体６１から室外側に突没可能に設けられた錠部６２が上部障子２０の上框２１（または縦框２３上端部、あるいは上框２１や縦框２３に固定された受け金具）に係合することで上部障子２０の開放移動が規制される。また、錠装置本体６１の下面に形成されたストッパ部６３によって下部障子３０の開放範囲が規制されるようになっている。この上げ下げ窓１Ａにおいて下部障子３０を上方に付勢するバランサ３６は、下部障子３０の下端部スライドシューに連結されたロープを巻き上げる渦巻きばねを有して構成され、錠装置６０Ａとともに上枠１１に固定されている。一方、縦枠１３の下部には、第１実施形態と同様の下部補助錠７０が設けられ、この下部補助錠７０によって下部障子３０の開放移動が規制されるようになっている。
【００３１】
このような本実施形態によれば、前記（１）〜（３）の効果と略同様の効果に加えて以下の効果が得られる。
（６）すなわち、渦巻きばねタイプのバランサ３６により下部障子３０が上方に付勢されるタイプの上げ下げ窓１Ａであっても、錠装置６０Ａを介してバランサ３６が支持されることで、部品点数の削減および意匠性の向上を図ることができるとともに、錠装置６０Ａおよびバランサ３６の取付構造および取付手順の簡単化を図ることができる。
【００３２】
〔第３実施形態〕
次に、本発明の第３実施形態に係る建具について図７に基づいて説明する。
図７(Ａ)，(Ｂ)は、第３実施形態の建具である引違い窓２の概略構成を示す縦断面図および横断面図である。
本実施形態の引違い窓２は、上枠８１、下枠８２および左右の縦枠８３を四周枠組みした窓枠８０と、この窓枠８０内部に左右スライド開閉自在に支持された室内外一対の障子９０Ａ，９０Ｂとを有して構成されたものである。すなわち、室内側障子９０Ａおよび室外側障子９０Ｂは、それぞれ上枠８１および下枠８２に形成された図示しないレールで上框９１および下框９２が案内されて開閉移動されるようになっている。そして、室内側障子９０Ａの戸先框９３Ａおよび室外側障子９０Ｂの戸先框９３Ｄがそれぞれ縦枠８３に当接するとともに、室内側障子９０Ａの召合せ框９３Ｂと室外側障子９０Ｂの召合せ框９３Ｃとが見付け方向に重なって引違い窓２が閉鎖されるようになっている。また、召合せ框９３Ｂ，９３Ｃには、図示しないクレセント錠が設けられており、このクレセント錠によって引違い窓２が施錠されるようになっている。
【００３３】
このような引違い窓２において、室外側障子９０Ｂの戸先框９３Ｄが当接する側（図７(Ｂ)中、右側）の縦枠８３上部には、開放した室内側障子９０Ａの召合せ框９３Ｂに当接してその開放範囲を規制するとともに、閉じた状態の室外側障子９０Ｂの戸先框９３Ｄ（または上框９１、あるいは戸先框９３Ｄや上框９１に固定された受け金具）に係合してその開放移動を規制する錠装置６０Ｂが固定されている。錠装置６０Ｂは、前記実施形態の錠装置６０，６０Ａと略同様に、窓枠８０に固定される錠装置本体６１と、この錠装置本体６１に突没自在に支持されて室外側障子９０Ｂに係合可能な錠部６２と、室内側障子９０Ａの召合せ框９３Ｂに当接可能なストッパ部６３とを備えて構成されている。
【００３４】
一方、室内側障子９０Ａの戸先框９３Ａが当接する側（図７(Ｂ)中、左側）の縦枠８３下部には、閉じた状態の室内側障子９０Ａの戸先框９３Ａ（または下框９２、あるいは戸先框９３Ａや下框９２に固定された受け金具）に係合してその開放移動を規制する補助錠７０Ａが固定されている。補助錠７０Ａは、前記実施形態の下部補助錠７０と略同様に、窓枠１０に固定される錠本体７１と、この錠本体７１に突没自在に支持されて室内側障子９０Ａに係合可能な錠部７２とを備えて構成されている。
以上の本実施形態において、錠装置６０Ｂは、縦枠８３上部に固定されたものに限らず、縦枠８３下部に固定されていてもよく、また上枠８１や下枠８２に固定されていてもよい。また、補助錠７０Ａは、、縦枠８３下部に固定されたものに限らず、縦枠８３上部に固定されていてもよく、また上枠８１や下枠８２に固定されていてもよい。
【００３５】
このような本実施形態によれば、前記（１）〜（３）の効果と略同様の効果が得られる。
すなわち、錠装置６０Ｂにより室外側障子９０Ｂを閉鎖位置に維持させることができ、室外側障子９０Ｂが完全に閉鎖されていない状態となることがないため、召合せ框９３Ｂ，９３Ｃに設けたクレセント錠の空掛けが防止でき、確実に施錠することができて防犯性を向上させることができる。さらに、錠装置６０Ｂのストッパ部６３で室内側障子９０Ａの開放移動が規制されることで、召合せ框９３Ｂに設けたクレセントが縦枠８３に衝突することが防止できるとともに、障子ストッパを別に設置する必要がなくなり、部品点数が削減できるとともに、引違い窓２の室内側の意匠性も向上させることができる。
【００３６】
なお、本発明は、前記実施形態に限定されるものではなく、本発明の目的を達成できる他の構成等を含み、以下に示すような変形等も本発明に含まれる。
例えば、前記実施形態においては、建具として上げ下げ窓１，１Ａや引違い窓２を例示して説明したが、本発明の建具は、上げ下げ窓１，１Ａや引違い窓２に限らず、スライド開閉可能に支持された少なくとも室内外一対の障子を有していればよい。
すなわち、本発明の建具としては、第１、２実施形態のようにダブルハングタイプの上げ下げ窓に限らず、トリプルハングタイプの上げ下げ窓であってもよく、また、三枚建てや四枚建ての引違い窓や引分け窓（あるいは戸）等であってもよい。
【００３７】
また、前記第１、２実施形態では、錠装置６０，６０Ａを介してバランサ３５，３６を窓枠１０に支持するような構成を採用したが、これに限らず、錠装置６０，６０Ａとは別にバランサを窓枠に固定してもよい。さらに、バランサとしては、スパイラルばねタイプのバランサ３５や、渦巻きばねタイプのバランサ３６に限らず、任意のものが採用可能である。
また、前記第１、２実施形態では、下部補助錠７０によって下部障子３０の開放移動を規制可能に構成し、前記第３実施形態では、補助錠７０Ａによって室内側障子９０Ａの開放移動を規制可能に構成したが、これらの下部補助錠７０や補助錠７０Ａは、本発明の必須要件ではなく適宜省略してもよい。
【００３８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３９】
【図１】本発明の第１実施形態に係る建具を示す縦断面図である。
【図２】前記建具を示す横断面図である。
【図３】前記建具の要部を拡大して示す横断面図である。
【図４】前記建具の要部を示す縦断面図である。
【図５】前記建具に設ける錠装置の取付手順を示す横断面図である。
【図６】(Ａ)，(Ｂ)は、本発明の第２実施形態に係る建具の概略構成を示す縦断面図および横断面図である。
【図７】(Ａ)，(Ｂ)は、本発明の第３実施形態に係る建具の概略構成を示す縦断面図および横断面図である。
【符号の説明】
【００４０】
１０，８０…建具枠である窓枠、１１，８１…上枠、１２，８２…下枠、１３，８３…縦枠、２０…上部障子、３０…下部障子、３５，３６…バランサ、６０，６０Ａ，６０Ｂ…錠装置、６１…錠装置本体、６２…錠部、６３…ストッパ部、６４…バランサ支持部、６５…ビス、９０Ａ…室内側障子、９０Ｂ…室外側障子、３５１…円筒体。
【図１】
2008014060.tif 000003
【図２】
2008014060.tif 000004
【図３】
2008014060.tif 000005
【図４】
2008014060.tif 000006
【図５】
2008014060.tif 000007
【図６】
2008014060.tif 000008
【図７】
2008014060.tif 000009